(57)【特許請求の範囲】
【請求項１】
自動車の屋根の上方に取り付けられた荷物搭載パイプの端部に装着されるキャリア収納式ホルダであって、前記荷物搭載パイプの開口端部に装着可能とするホルダ本体と、このホルダ本体と摺動可能に接続され前記荷物搭載パイプの内側にテレスコピックに収納可能なバーホルダとを備え、当該バーホルダの途中にヒンジ部を設けるとともに当該ヒンジ部に続く先端側には首振りアームを設け、当該首振アームにはその厚み内に収納される揺動可能な引出フックを設けたことを特徴とするキャリア収納式ホルダ。
【請求項２】
前記首振りアームと前記引出フックとに接する引出用ばねを設け、当該引出用ばねの付勢にて前記引出フックを前記首振りアームより引出可能にしたことを特徴とする請求項１に記載のキャリア収納式ホルダ。
【発明の詳細な説明】
【０００１】
【発明の属する技術分野】
本発明は、車両に装着されるホルダに係り、特に釣り竿等の長尺物の保持に好適なキャリア収納式ホルダに関する。
【０００２】
【従来の技術】
現在、フィッシング人口は数百万人にも達するとも言われ、自動車等を用い釣り場に向かうことも頻繁に行われている。
このように自動車を使用した場合では、釣り場に到着すると自動車から釣り竿を取り出し、糸を釣り竿に通すなど釣りの準備を整え、その後釣り竿を釣り場へと持ち出すようにしている。
【０００３】
なお糸を釣り竿に通すなどの釣りの準備では、特開平９−２９４５１６号公報に示すような釣り竿用キャリアを自動車等に取り付け、この釣り竿用キャリアにおける竿取り付け部に釣り竿を固定して行う方法が知られている。
【０００４】
【発明が解決しようとする課題】
しかし上述した作業においては下記に示すような問題点があった。
すなわち第１の問題点としては、たとえ特開平９−２９４５１６号公報に示す釣り竿用キャリアを用いたとしても、釣り竿は長尺物であり且つ弾性力を有していることから、竿取り付け部だけで釣り竿自体を静止させることは難しく（特に竿先端を静止させるのが困難である）、このため釣り竿に釣り糸を通すなどの準備は依然として困難さが残るという点である。そしてリールを装着できる釣り竿だけしか前記釣り竿用キャリアに対応させることができないという障害もある。
【０００５】
また第２の問題点としては、リールを装着できない釣り竿である場合、釣り竿自体の置き場所が無く、このため前記釣り竿を地面に置いたり、あるいは自動車に立てかけておくことが多かった。このため地面に置かれた釣り竿を踏んでしまったり、立てかけてあった釣り竿を自動車のドアに挟んでしまったりなどして釣り竿を破損させてしまう問題点があった。ところで釣り竿の収納の問題を解決するものとして特開平１０−６８６４号公報に記載されたルーフの荷物保持部材が知られているが、これは連結レールの中空部を長尺物用の物入れとしたものであり、組立前の（コンパクトな）釣り竿を収納することはできるものの、組立後の釣り竿（いわゆる釣り糸等を装着した状態で中空部より長い）は収容することはできず、このため釣り竿が破損するおそれはいぜんとして存在している。
【０００６】
さらに第３の問題点として、釣り竿以外の他の用具においても地面に置いておくと、踏みつけによる破損が生じたり、汚れ、あるいは紛失などのおそれがあった。
本発明は、上記従来の問題点に着目し、長尺物となる釣り竿やその他用品を簡易に保持することのできるキャリア収納ホルダを提供することを目的とする。
【０００７】
【課題を解決するための手段】
本発明は、荷物搭載パイプの内部にホルダを設け、必要時には当該ホルダを荷物搭載パイプの開口端部から引き出すようにすれば、自動車の長手方向に沿って前記ホルダに長尺物等を掛止させることができるという知見に基づいてなされたものである。
【０００８】
すなわち本発明に係るキャリア収納式ホルダは、自動車の屋根の上方に取り付けられた荷物搭載パイプの端部に装着されるキャリア収納式ホルダであって、前記荷物搭載パイプの開口端部に装着可能とするホルダ本体と、このホルダ本体と摺動可能に接続され前記荷物搭載パイプの内側にテレスコピックに収納可能なバーホルダとを備え、当該バーホルダの途中にヒンジ部を設けるとともに当該ヒンジ部に続く先端側には首振りアームを設け、当該首振アームにはその厚み内に収納される揺動可能な引出フックを設ける構成とした。
【０００９】
なお前記首振りアームと前記引出フックとに接する引出用ばねを設け、当該引出用ばねの付勢にて前記引出フックを前記首振りアームより引出可能にすることが好ましい。
【００１０】
【作用】
上記の如く構成した本発明によれば、通常、荷物搭載パイプは自動車の屋根に取り付けられた一対のルーフレールを橋渡しするように複数本取り付けられる。ここでこれら複数本の荷物搭載パイプの開口端部にはホルダ本体が装着され、当該ホルダ本体に接続されたバーホルダをテレスコピックに荷物搭載パイプに収納されているので、前記バーホルダを荷物搭載パイプの開口端部より引き出せば、釣り竿を多数の引出フックで支持することができ、当該釣り竿を安定して保持させることができる。そして荷物搭載パイプから引き出された引出フックにて釣り竿は保持されているので、地上からの高さを確保することができ、このため地表面に置かれたように釣り竿が踏みつけられることがなく、もって当該釣り竿が破損するのを防止することができる。なお荷物搭載パイプの延長方向は自動車の幅方向、すなわち自動車の長手方向（進行方向）と直交しているので、釣り竿は自動車の長手方向に沿って保持される。このため仮に釣り竿の長さが自動車の全長より長くとも、当該自動車の外縁から突出する量を最小限に抑えることができるので、突出によって釣り竿が損傷するおそれを最小限に抑えることができる。
【００１１】
ところでバーホルダの途中にヒンジ部を設けるとともに、当該ヒンジ部にストッパ機構を設けたことから、バーホルダを荷物搭載用パイプから引き出した後に、首振りアームをヒンジ部を中心として回転させ、前記首振りアームの延長方向を自動車の側部に略沿わせる位置でストッパ機構を働かせて固定する。このように首振りアームをヒンジ部を中心として回転させれば、例えば車高のある自動車の場合、首振りアームを荷物搭載パイプの高さより下げることができるので、作業高さを下げることができ、バーホルダに釣り竿を保持させることが容易になる。さらにヒンジ部の回転により、首振りアームを自動車の側部に略沿わることができるので、釣り竿を首振りアームに沿ってあたかも積み重ねるように保持させることができ、釣り竿の取り出しや取り外しの作業を容易にすることができる。
【００１２】
そして首振りアームに引出フックを設けていることから、バーホルダの構成のみで釣り竿を保持させることができ、釣り竿の保持手順を簡略化することができる。なお支持ピンを引出フックにおけるホルダ本体側に設ければ、バーホルダを荷物搭載パイプに収納する際、引出フックを個々にバーホルダ内に収める必要が無く、バーホルダを荷物搭載パイプに収納することで、前記引出フックはホルダ本体あるいは荷物搭載パイプの開口縁との接触により支持ピンを中心に回転しバーホルダ内に収めることができる。
【００１３】
さらに首振りアームと引出フックとに接し、支持ピンまわりの付勢をなす引出用ばねを設ければ、荷物搭載用パイプからバーホルダを引き出した際、引出用ばねの付勢力によって引出フックが首振りアームから引き出されるので、人手で引出フックを引き出す必要がなく、釣り竿の保持手順を簡略化することができる。
【００１４】
なおこのように設けられたバーホルダでは釣り竿以外の用品（具体的には、フィッシングベストや携帯灰皿等）の保持も可能であり、これら用品をバーホルダに掛止させれば、用品の踏みつぶしによる破損、汚れ、紛失等を防止することができる。
【００１５】
【発明の実施の形態】
以下に本発明に係るキャリア収納式ホルダに好適な具体的実施の形態を図面を参照して詳細に説明する。
図１は、本実施の形態に係るキャリア収納式ホルダの部品展開図を示し、図２は、キャリア収納式ホルダの全体図を示し、図８は前記キャリア収納式ホルダを装着する自動車の側面図を示す。
【００１６】
これらの図に示すように、本実施の形態に係るキャリア収納式ホルダ１０は、自動車１２の屋根の上部に車幅方向に沿って取り付けられた荷物搭載パイプ１４の開口端部１６（片側または両側）に装着される。なお図８においては一対の荷物搭載パイプ１４が自動車１２の屋根に取り付けられているが、この形態にこだわる必要もなく、荷物搭載パイプ１４の取付本数は、搭載する荷物の大きさや重量によって２本以上（３本または４本など）に設定すればよい。さらに同図においては、荷物搭載パイプ１４の断面形状は矩形となっているが、後述するバーホルダが収納可能であれば、前記断面形状は丸形に代表されるような他の形状であってもよい。また荷物搭載パイプ１４とは、その上部に自転車やスキー等の荷物を取付可能とするものであり、自動車１２の屋根に荷物を搭載するために用いられるものである。
【００１７】
こうした荷物搭載パイプ１４における開口端部１６にキャリア収納式ホルダ１０が取り付けられることとなるが、このキャリア収納式ホルダ１０は、前記開口端部１６に装着可能とするホルダ本体１８と、このホルダ本体１８と摺動可能に接続され荷物搭載パイプ１４の内側にテレスコピックに収納可能なバーホルダ２０とで構成されている。なおバーホルダ２０の全長は、荷物搭載パイプ１４における中空部の奥行きに収まるだけの長さに設定される。
【００１８】
ホルダ本体１８の外形は直方体形状からなるとともに、この直方体形状を貫通するよう貫通穴２２が設けられている。なおこの貫通穴２２は、前述したバーホルダ２０を取り込み、摺動可能にするだけの大きさに設定されている。さらに貫通穴２２が露出するホルダ本体１８の構成面片側には、貫通穴２２の縁部分に荷物搭載パイプ１４の外形に相当する段差２４（図４または図７におけるホルダ本体１８の断面部分を参照）が設けられており、前述した荷物搭載パイプ１４の開口先端をこの段差２４に差し込むことで、荷物搭載パイプ１４とホルダ本体１８との位置決めをなし、前記荷物搭載パイプ１４の中空部分と、貫通穴２２とを相互の延長線上に配置するようにしている。なお両者の固定については、ホルダ本体１８において貫通穴２２の側部に相当する構成面に取り付けられた板ナット２６にサラネジ２８を螺合させ、当該サラネジ２８の先端で荷物搭載パイプ１４の側壁を押し付けることで行われる。
【００１９】
また貫通穴２２と交わらず且つ当該貫通穴２２と直交するよう、ホルダ本体１８にはレバーピン３０が挿通されており、このレバーピン３０には貫通穴２２に挿通されるバーホルダ２０の移動の制限をなすためのロックレバー３２が軸支されている。すなわちロックレバー３２には、当該ロックレバー３２を回転させるためのハンドル部３４と、ロックレバー３２の回転によって貫通穴２２側の領域に干渉をなす突起部３６とが設けられており、前記ハンドル部３４を動かすことによりロックレバー３２を回転させ、貫通穴２２に挿通されるバーホルダ２０の外壁に突起部３６を押圧接触させることで、ホルダ本体１８に対するバーホルダ２０の固定を可能にしている。なお前記ホルダ本体１８に対してバーホルダ２０を摺動させるためには、ハンドル部３４を固定時とは逆方向に動かし、ロックレバー３２を逆回転させることで突起部３６をバーホルダ２０の外壁から離反させるようにすればよい。
【００２０】
ホルダ本体１８の貫通穴２２に挿通されるバーホルダ２０は、前記ホルダ本体１８の段差２４が形成された反対側より引き出される断面矩形状の引出アーム３８と、この引出アーム３８の引出し先端に取り付けられたヒンジ部４０を介して接続される首振りアーム４２とで構成されている。なお引出アーム３８と首振りアーム４２とは全長が異なるだけで断面形状やその材質については同一のものとなっている。なお前述の通りこれらのアームに関してはその断面形状が荷物搭載パイプ１４の中空部分の断面形状より小さく設定されていることはいうまでもない。
【００２１】
引出アーム３８は、金属製の矩形フレームからなり、その外形はホルダ本体１８に形成された貫通穴２２の外形に倣うように形成され、前記貫通穴２２を挿通し、引出アーム３８の長手方向に沿って摺動を可能にしている。そして引出アーム３８においてヒンジ部４０が取り付けられた端部反対側には、抜け止め防止用ストッパ４４が取り付けられており、引出アーム３８をヒンジ部４０側に引き出した際、抜け止め防止用ストッパ４４が段差２４に接触し、引出アーム３８がホルダ本体１８から抜けるのを防止するようにしている。
【００２２】
引出アーム３８において、抜け止め防止用ストッパ４４が取り付けられる反対側端部には、首振りアーム４２の揺動をなすためのヒンジ部４０が設けられる。このヒンジ部４０はヒンジピン４６によってピン結合される凹型ブロック４８および凸型ブロック５０とで構成されており、これらのブロックには引出アーム３８および首振りアーム４２の端部に固定をなすため、筒状アーム類の開口形状に相当する外形を有した差込部５２が設けられている。そしてこの差込部５２を引出アーム３８および首振りアーム４２の端部に差し込んだ後、これらアームを貫通するように固定ピン５４をあらかじめ設けてある固定用穴５６に挿通させれば、前記固定ピン５４によってアームと差込部５２とが固定されヒンジ部４０を介して引出アーム３８と首振りアーム４２との接続を可能にしている。
【００２３】
ところでヒンジ部４０における凹型ブロック４８と凸型ブロック５０のいずれか一方にはストッパ機構となるテーパ面５８が形成されており（図４および図７参照）、凸型ブロック５０をヒンジピン４６まわりに回転させていった際（図７、矢印６０を参照）、凸型ブロック５０の外形が凹型ブロック４８側に設けられたテーパ面５８に接触し、あらかじめ設定された角度で引出アーム３８と首振りアーム４２とを保持できるようにしている。なおこのテーパ面５８の設定により任意の角度で引出アーム３８と首振りアーム４２とを保持できるようになり、これによって水平に引き出された引出アーム３８に対し首振りアーム４２の角度を例えば自動車１２の側部と略同じくし、首振りアーム４２の延長方向を自動車１２の側部に略沿わせ、後述する竿等の長尺物を容易に掛止できるようにすることが可能になる。さらに図７（および図４）においては引出アーム３８に対して首振りアーム４２を矢印６０方向に跳ね上げ、首振りアーム４２を位置決めするようテーパ面５８の角度を設定したが、車高の高い自動車１２の場合では、首振りアーム４２の位置が高くなりすぎ、このため長尺物の掛止が困難になることが考えられる。しかしこうした場合ではテーパ面５８の角度を変更するとともに、首振りアーム４２を下方側（矢印６０の反対側）に回転させれば、首振りアーム４２を低い位置で、且つ首振りアーム４２の延長方向を自動車１２の側部に略沿わせるよう保持させることができる。
【００２４】
引出アーム３８にヒンジ部４０を介して取り付けられる首振りアーム４２には、その最先端にキャップ６２が設けられており、当該キャップ６２を掴み引き出すことでバーホルダ２０をホルダ本体１８から引き出し可能にしている。
【００２５】
ところで首振りアーム４２における中腹部分には前記首振りアーム４２の長手方向に沿って穴部６４が２つ設けられ、当該穴部６４におけるヒンジ部４０寄りには、支持ピン６６が挿通されている。また当該支持ピン６６には引出フック６８が軸支され、この引出フック６８を支持ピン６６を中心として回転させることにより、引出フック６８を穴部６４の内側から首振りアーム４２の外部へと引き出し、長尺物を引出フック６８と首振りアーム４２とで保持することで、前記長尺物を掛止可能にしている。なお引出フック６８は、首振りアーム４２の厚みよりも薄く形成されており、このため引出フック６８を穴部６４に収めると前記引出フック６８は首振りアーム４２内に収納される形態となる。
【００２６】
そして支持ピン６８にはねじりコイルばねの形態である引出用ばね７０が取り付けられており、この引出用ばね７０の一端を引出フック６８に、また他方端部を首振りアーム４２に掛止させることで、支持ピン６８まわりの回転力（付勢力）を発生させ、この回転力により引出フック６８を自主的に穴部６４内から引き起こし可能にしている。
【００２７】
なお引出アーム３８に対して首振りアーム４２を回転させる方向は、例えば自動車１２の車高の違いなどの要因によって決定されるが、この場合引出フック６８の穴部６４に対する引出方向や引出用ばね７０の付勢力の方向は、反対側になるため、自動車１２の車種によって方向を変化させるようにすればよい。
【００２８】
このように構成されたキャリア収納式ホルダを自動車の屋根に搭載し、釣り竿に代表されるような長尺物あるいはその他用具を保持または掛止する手順を説明する。
図３は、キャリア収納式ホルダにおけるバーホルダを荷物搭載パイプ内に収納された状態図を示し、図４は、図３における荷物搭載パイプの断面状態図を示す。これらの図に示すようにバーホルダ２０は荷物搭載パイプ１４の内側に収納されている。この状態では（バーホルダ２０における）首振りアーム４２に設けた引出フック６８は、荷物搭載パイプ１４の内壁と接触することで穴部６４の内側に入り込み、首振りアーム４２の内側に収まるようになっている。なお支持ピン６６には引出用ばね７０が装着されていることから、このばね付勢力によって引出フック６８は荷物搭載パイプ１４の内壁を常時押圧するようにしている。
【００２９】
前述した状態から、バーホルダ２０を引き出し、キャリア収納式ホルダを荷物搭載パイプ１４から露出させるには以下の手順による。
すなわち図５は、バーホルダ２０をホルダ本体１８および荷物搭載パイプ１４から引き出した状態を示す説明図である。同図に示すようにバーホルダ２０をホルダ本体１８および荷物搭載パイプ１４から引き出すには、まずロックレバー３２のハンドル部３４を動かし、突起部３６をバーホルダ２０より離反させる。このように突起部３６とバーホルダ２０とが離反することにより、当該バーホルダ２０はホルダ本体１４に対し摺動することが可能になる。そしてバーホルダ２０を摺動可能にした後は、バーホルダ２０における首振りアーム４２の先端に装着されたキャップ６２をつかみ、当該キャップ６２を荷物搭載パイプ１４の延長方向に沿って引き出す。このようにキャップ６２を介してバーホルダ２０を引き出すと、当該バーホルダ２０は荷物搭載パイプ１４に対してテレスコピックに収納されているので、ホルダ本体１８を摺動しながら外部へと露出する。そしてバーホルダ２０を荷物搭載パイプ１４から引き出していくと、ホルダ本体１８における段差２４に抜け止め防止用ストッパ４４が接触し、バーホルダ２０の引き出し量が制限される。この状態に達すると今度は、再びロックレバー３２を先程とは逆の方向に動かし、突起部３６をバーホルダ２０の表面に接触させる。このように突起部３６をバーホルダ２０に接触させることにより、ホルダ本体１８に対してバーホルダ２０を固定させることができる。
【００３０】
なおバーホルダ２０を荷物搭載パイプ１４から引き出すと、首振りアーム４２に設けられた引出フック６８に加わる引出用ばね７０による付勢力が解放されるため、前記引出フック６８は支持ピン６６まわりに回転し、首振りアーム４２より突出する。
【００３１】
前述した状態から、バーホルダ２０を跳ね上げて、釣り竿等の長尺物の保持を可能にさせるには以下の手順による。
すなわち図６は、首振りアーム４２を引出アーム３８に対して跳ね上げた状態を示す説明図であり、図７は図６の状態におけるキャリア収納式ホルダおよび荷物搭載パイプの断面図を示す。
【００３２】
これらの図に示すように、バーホルダ２０を引き出して、ロックレバー３２により固定した後は、ヒンジ部４０におけるヒンジピン４６を回転中心として、首振りアーム４２を上方に跳ね上げる。このように首振りアーム４２をヒンジピン４６を中心に回転させていくと、凹型ブロック４８と凸型ブロック５０のいずれか一方に設けたテーパ面５８が他方側ブロックの外形と接触し、回転規制がなされ、その回転角度が保持される。そしてこの回転角度は、首振りアームの延長方向が前記自動車の側部に略沿うよう設定されているので、釣り竿等の長尺物７２を首振りアームに設けられた引出フック６８に掛止させれば、当該釣り竿等の長尺物７２を自動車の側部に沿ってあたかも積み重ねるように保持させることができ、釣り竿等の長尺物７２の取り出しや取り外しの作業を容易にすることができる。なお釣り竿等の長尺物７２以外の用品についても引出フック６８に掛止するようにすれば、破損や汚れまたは紛失などが発生するのを防止することができる。
【００３３】
そして釣り竿等の長尺物７２の保持が不要となり、バーホルダ２０を荷物搭載パイプ１４に収納する際には、釣り竿等の長尺物７２を引出フック６８から取り外した後、首振りアーム４２を矢印６０とは反対の方向に回転させ、引出アーム３８と首振りアーム４２とが直線状態になるようにする。そしてこのようにバーホルダ２０を直線状態にした後は、ロックレバー３２を動かしバーホルダ２０を摺動可能にするとともにキャップ６２を荷物搭載パイプ１４の延長方向に沿って押し込み、バーホルダ２０を荷物搭載パイプ１４の内部に収納する。そしてバーホルダ２０の収納後は、ロックレバー３２を回転させバーホルダ２０を固定すればよい。なお引出フック６８を軸支する支持ピン６６はホルダ本体１８側に設けられていることから、バーホルダ２０の収納時に引出フック６８は荷物搭載パイプ１４に接触し、穴部６４の内側に回転しながら収納される。
【００３４】
なお本実施の形態においては、バーホルダを収納する手順を簡略化するため、支持ピンをホルダ本体側に設けて引出フックを荷物搭載パイプに接触させることで収納することとしたが、支持ピンはその他の位置に装着してもよい。
【００３５】
【発明の効果】
以上説明したように本発明によれば、自動車の屋根の上方に取り付けられた荷物搭載パイプの端部に装着されるキャリア収納式ホルダであって、前記荷物搭載パイプの開口端部に装着可能とするホルダ本体と、このホルダ本体と摺動可能に接続され前記荷物搭載パイプの内側にテレスコピックに収納可能なバーホルダとを備え、当該バーホルダの途中にヒンジ部を設けるとともに当該ヒンジ部に続く先端側には首振りアームを設け、当該首振アームにはその厚み内に収納される揺動可能な引出フックを設けたことから、このバーホルダを荷物搭載パイプから引き出すことで、長尺物となる釣り竿やその他用品を簡易に保持することができる。
【図面の簡単な説明】
【図１】本実施の形態に係るキャリア収納式ホルダの部品展開図を示す。
【図２】キャリア収納式ホルダの全体図を示す。
【図３】キャリア収納式ホルダにおけるバーホルダを荷物搭載パイプ内に収納された状態図を示す。
【図４】図３における荷物搭載パイプの断面状態図を示す。
【図５】バーホルダ２０をホルダ本体１８および荷物搭載パイプ１４から引き出した状態を示す説明図である。
【図６】首振りアーム４２を引出アーム３８に対して跳ね上げた状態を示す説明図である。
【図７】図６の状態におけるキャリア収納式ホルダおよび荷物搭載パイプの断面図を示す。
【図８】キャリア収納式ホルダを装着する自動車の側面図を示す。
【符号の説明】
１０            キャリア収納式ホルダ
１２            自動車
１４            荷物搭載パイプ
１６            開口端部
１８            ホルダ本体
２０            バーホルダ
２２            貫通穴
２４            段差
２６            板ナット
２８            サラネジ
３０            レバーピン
３２            ロックレバー
３４            ハンドル部
３６            突起部
３８            引出アーム
４０            ヒンジ部
４２            首振りアーム
４４            抜け止め防止用ストッパ
４６            ヒンジピン
４８            凹型ブロック
５０            凸型ブロック
５２            差込部
５４            固定ピン
５６            固定用穴
５８            テーパ面
６０            矢印
６２            キャップ
６４            穴部
６６            支持ピン
６８            引出フック
７０            引出用ばね
７２            釣り竿等の長尺物
【図１】
0004112725.tif 000002
【図２】
0004112725.tif 000003
【図３】
0004112725.tif 000004
【図４】
0004112725.tif 000005
【図５】
0004112725.tif 000006
【図６】
0004112725.tif 000007
【図７】
0004112725.tif 000008
【図８】
0004112725.tif 000009